(57)【要約】【課題】  複数の測定波長の光の強度を検出する検出器を用いなくても、干渉ガスを含むガスを透過した光の強度から測定対象ガスの濃度を精度良く測定できる。【解決手段】ガスを透過した光の強度を検出する検出器と、前記ガスの全圧を測定する全圧センサと、前記ガス中に測定対象ガスと共に含まれる干渉ガスの分圧と吸光度との関係を示す干渉ガス分圧−吸光度関係データを記憶する干渉ガス分圧−吸光度関係記憶部と、前記全圧センサで測定された全圧に基づき、前記干渉ガスの分圧を推定する干渉ガス分圧推定部と、前記干渉ガス分圧推定部で推定された干渉ガス推定分圧を、前記干渉ガス分圧−吸光度関係データに基づき前記干渉ガスの吸光度に変換する干渉ガス吸光度変換部と、前記検出器の出力値と前記干渉ガス吸光度変換部で変換された干渉ガス吸光度とに基づき、前記測定対象ガスの吸光度を算出する測定対象ガス吸光度算出部とを備える。【選択図】図４
2020183925.tif 000002
【特許請求の範囲】
【請求項１】
ガスを透過した光の強度を検出する検出器と、
前記ガスの全圧を測定する全圧センサと、
前記ガス中に測定対象ガスと共に含まれる干渉ガスの分圧と吸光度との関係を示す干渉ガス分圧−吸光度関係データ を記憶する干渉ガス分圧−吸光度関係記憶部と、
前記全圧センサで測定された全圧に基づき、前記干渉ガスの分圧を推定する干渉ガス分圧推定部と、
前記干渉ガス分圧推定部で推定された干渉ガス推定分圧を、前記干渉ガス分圧−吸光度関係データに基づき前記干渉ガスの吸光度に変換する干渉ガス吸光度変換部と、
前記検出器の出力値と前記干渉ガス吸光度変換部で変換された干渉ガス吸光度とに基づき、前記測定対象ガスの吸光度を算出する測定対象ガス吸光度算出部とを備えることを特徴とする吸光分析システム。
【請求項２】
前記干渉ガス分圧推定部が、前記全圧センサで測定された全圧を前記干渉ガスの分圧と推定するものである請求項１記載の吸光分析システム。
【請求項３】
前記ガス中に含まれる測定対象ガスの分圧と吸光度との関係を示す測定対象ガス分圧−吸光度関係データを記憶する測定対象ガス分圧−吸光度関係記憶部と、
前記測定対象ガス吸光度算出部で算出された測定対象ガス吸光度を、前記測定対象ガス分圧−吸光度関係データに基づき前記測定対象ガスの分圧に変換する測定対象ガス分圧変換部をさらに備える請求項１又は２のいずれかに記載の吸光分析システム。
【請求項４】
前記全圧センサで測定された全圧と前記測定対象ガス分圧変換部で変換された測定対象ガス分圧とに基づき、前記干渉ガスの分圧を算出する干渉ガス分圧算出部をさらに備える請求項３記載の吸光分析システム。
【請求項５】
前記干渉ガス分圧算出部で算出された干渉ガス算出分圧を、前記干渉ガス分圧−吸光度関係データに基づき前記干渉ガスの新たな吸光度に変換する第２の干渉ガス吸光度変換部をさらに備えるものであり、
前記測定対象ガス吸光度算出部が、前記検出器の出力値と前記第２の干渉ガス吸光度変換部で変換された新たな干渉ガス吸光度とに基づき、前記測定対象ガスの新たな吸光度を算出するものである請求項４記載の吸光分析システム。
【請求項６】
ガスを透過した光の強度を検出する検出器と、前記ガスの全圧を測定する全圧センサとを備える吸光分析システムに用いられるプログラムであって、
前記ガス中に測定対象ガスと共に含まれる干渉ガスの分圧と吸光度との関係を示す干渉ガス分圧−吸光度関係データを記憶する干渉ガス分圧−吸光度関係記憶部と、
前記全圧センサで測定された全圧に基づき前記干渉ガスの分圧を推定する干渉ガス分圧推定部と、
前記干渉ガス分圧推定部で推定された干渉ガス推定分圧を、前記干渉ガス分圧−吸光度関係データに基づき前記干渉ガスの吸光度に変換する干渉ガス吸光度変換部と、
前記検出器の出力値と前記干渉ガス吸光度変換部で変換された干渉ガス吸光度とに基づき、前記測定対象ガスの吸光度を算出する測定対象ガス吸光度算出部とを備えることを特徴とする吸光分析システム用プログラム。
【請求項７】
ガスを透過した光の強度を検出する検出器と、前記ガスの全圧を測定する全圧センサとを備える吸光分析システムに用いられるものであって、
前記ガス中に測定対象ガスと共に含まれる干渉ガスの分圧と吸光度との関係を示す干渉ガス分圧−吸光度関係データを記憶する干渉ガス分圧−吸光度関係記憶部と、
前記全圧センサで測定された全圧に基づき前記干渉ガスの分圧を推定する干渉ガス推定部と、
前記干渉ガス分圧推定部で推定された干渉ガス推定分圧を、前記干渉ガス分圧−吸光度関係データに基づき前記干渉ガスの吸光度に変換する干渉ガス吸光度変換部と、
前記検出器の出力値と前記干渉ガス吸光度変換部で変換された干渉ガス吸光度とに基づき、前記測定対象ガスの吸光度を算出する測定対象ガス吸光度算出部とを備えることを特徴とする吸光分析装置。
【請求項８】
ガスを透過した光の強度を検出する検出器と、前記ガスの全圧を測定する全圧センサとを備える吸光分光システムを用いて前記ガス中に含まれる測定対象ガスの吸光度測定方法であって、
前記ガス中に測定対象ガスと共に含まれる干渉ガスの分圧と吸光度との関係を示す干渉ガス分圧−吸光度関係データを記憶する第１ステップと、
前記全圧センサで測定された全圧と、予測される前記干渉ガスの濃度とに基づき、前記干渉ガスの分圧を推定する第２ステップと、
前記第２ステップで推定された干渉ガス推定分圧を、前記干渉ガス分圧−吸光度関係データに基づき前記干渉ガスの吸光度に変換する第３ステップと、
前記第３ステップで変換された干渉ガス吸光度と前記検出器の出力値とに基づき、前記測定対象ガスの吸光度を算出する第４ステップとを備えることを特徴とする吸光度測定方法。
【発明の詳細な説明】
【技術分野】
【０００１】
本発明は、吸光分析システム、吸光分析システム用プログラム、吸光分析装置、及び、吸光度測定方法に関するものである。
【背景技術】
【０００２】
従来、半導体製造プロセスにおける成膜装置のチャンバ等の供給先に供給されるガスに含まれる測定対象ガスの濃度を測定するものとして、ガスを透過する光の強度を検出する検出器と、ガスの全圧を測定する全圧センサとを備えた吸光分析システムがある。
【０００３】
なお、前記検出器は、例えば、流路を流れるガスに光を照射する光源と、光源から射出された光の波長のうちで測定対象ガスが吸収する波長（以下、測定波長ともいう）の光を透過するフィルタと、ガスを透過した測定波長の光の強度を検出する受光部とを備えた構造になっている。
【０００４】
ところで、前記従来の吸光分析システムによって分析されるガス中には、測定対象ガス以外の他のガスとして測定波長の光を吸収する干渉ガスが含まれていることがある。この場合、検出器は、測定対象ガスのみならず干渉ガスも吸収した測定波長の光の強度を検出することになるため、測定対象ガスの濃度を正確に測定できなくなる。
【０００５】
このため、前記従来の吸光分析システムにおいては、特許文献１に示すように、複数の測定波長の光の強度を検出できる検出器を用い、当該検出器で検出される各測定波長の光の強度に関する連立方程式を解いて、測定対象ガス及び干渉ガスの濃度を算出していた。
【先行技術文献】
【特許文献】
【０００６】
【特許文献１】特開２００４−１０１４１６号
【発明の概要】
【発明が解決しようとする課題】
【０００７】
本発明は、複数の測定波長の光の強度を検出する検出器を用いなくても、干渉ガスを含むガスを透過した光の強度から測定対象ガスの濃度を精度良く測定できる吸光分析システムを提供することを主な課題とするものである。
【課題を解決するための手段】
【０００８】
すなわち、本発明に係る吸光分析システムは、ガスを透過した光の強度を検出する検出器と、前記ガスの全圧を測定する全圧センサと、前記ガス中に測定対象ガスと共に含まれる干渉ガスの分圧と吸光度との関係を示す干渉ガス分圧−吸光度関係データを記憶する干渉ガス分圧−吸光度関係記憶部と、前記全圧センサで測定された全圧に基づき、前記干渉ガスの分圧を推定する干渉ガス分圧推定部と、前記干渉ガス分圧推定部で推定された干渉ガス推定分圧を、前記干渉ガス分圧−吸光度関係データに基づき前記干渉ガスの吸光度に変換する干渉ガス吸光度変換部と、前記検出器の出力値と前記干渉ガス吸光度変換部で変換された干渉ガス吸光度とに基づき、前記測定対象ガスの吸光度を算出する測定対象ガス吸光度算出部とを備えることを特徴とするものである。
【０００９】
このようなものであれば、全圧センサで測定された全圧に基づき干渉ガスの分圧を推定し、当該干渉ガス推定分圧を、予め記憶した干渉ガスの分圧と吸光度との関係を示す干渉ガス分圧−吸光度関係データに基づき干渉ガスの吸光度に変換し、その干渉ガス吸光度と検出器の出力値とに基づき、測定対象ガスの吸光度を算出するようにしたので、複数の測定波長の光の強度を検出する検出器を用いなくても、検出器の出力値から測定対象ガスの濃度を比較的精度良く算出することができる。
【００１０】
なお、半導体製造プロセスにおいては、供給先に対し、干渉ガスの濃度に比べて測定対象ガスの濃度が低いガスを供給することが多く、この場合、全圧センサで測定される全圧を近似的に干渉ガスの分圧と推定することができる。なお、測定対象ガスの濃度を算出するにあたって、このような近似を行ったとしても、当該近似による誤差の影響は、検出器で検出される光の強度に対する干渉ガスの影響による誤差よりも小さくなるため、結果として、測定対象ガスの濃度を精度良く算出できる。
【００１１】
ここで、干渉ガス分圧−吸光度関係データにおける吸光度は、吸光分析システムが備える検出器で検出された出力値に基づき算出される干渉ガスの吸光度を示している。
【００１２】
そこで、前記干渉ガス分圧推定部が、前記全圧センサで測定された全圧を前記干渉ガスの分圧と推定するように構成してもよい。
【００１３】
なお、前記吸光分析システムの具体的な構成としては、前記ガス中に含まれる測定対象ガスの分圧と吸光度との関係を示す測定対象ガス分圧−吸光度関係データを記憶する測定対象ガス分圧−吸光度関係記憶部と、前記測定対象ガス吸光度算出部で算出された前記測定対象ガス吸光度を、前記測定対象ガス分圧−吸光度関係データに基づき前記測定対象ガスの分圧に変換する測定対象ガス分圧変換部をさらに備えるものが挙げられる。また、前記全圧センサで測定された全圧と前記測定対象ガス分圧変換部で変換された測定対象ガス分圧とに基づき、前記干渉ガスの分圧を算出する干渉ガス分圧算出部をさらに備えるものが挙げられる。
【００１４】
ここで、測定対象ガス分圧−吸光度関係データにおける吸光度は、吸光分析システムが備える検出器で検出された出力値に基づき算出される測定対象ガスの吸光度を示している。
【００１５】
また、前記吸光分析システムにおいて測定対象ガスの濃度を更に精度良く算出したい場合には、前記干渉ガス分圧算出部で算出された干渉ガス算出分圧を、前記干渉ガス分圧−吸光度関係データに基づき前記干渉ガスの新たな吸光度に変換する第２の干渉ガス吸光度変換部を備え、前記測定対象ガス吸光度算出部が、前記検出器の出力値と前記第２の干渉ガス吸光度変換部で変換された新たな干渉ガス吸光度とに基づき、前記測定対象ガスの新たな吸光度を算出するようにすればよい。
【００１６】
このようなものであれば、干渉ガス分圧算出部で算出された干渉ガス算出分圧は、干渉ガス分圧推定部で推定された干渉ガス推定分圧よりも実際の干渉ガス分圧に近づいたものとなる。このため、干渉ガス分圧算出部で算出された干渉ガス算出分圧を、干渉ガスの新たな吸光度に変換し、この新たな干渉ガス吸光度に基づき測定対象ガスの新たな吸光度を算出し直すことにより、より精度の高い測定対象ガスの濃度を算出することができる。
【００１７】
また、本発明に係る吸光分析システム用プログラムは、ガスを透過した光の強度を検出する検出器と、前記ガスの全圧を測定する全圧センサとを備える吸光分析システムに用いられるプログラムであって、前記ガス中に測定対象ガスと共に含まれる干渉ガスの分圧と吸光度との関係を示す干渉ガス分圧−吸光度関係データを記憶する干渉ガス分圧−吸光度関係記憶部と、前記全圧センサで測定された全圧に基づき、前記干渉ガスの分圧を推定する干渉ガス分圧推定部と、前記干渉ガス分圧推定部で推定された干渉ガス推定分圧を、前記干渉ガス分圧−吸光度関係データに基づき前記干渉ガスの吸光度に変換する干渉ガス吸光度変換部と、前記検出器の出力値と前記干渉ガス吸光度変換部で変換された干渉ガス吸光度とに基づき、前記測定対象ガスの吸光度を算出する測定対象ガス吸光度算出部とを備えることを特徴とするものである。
【００１８】
また、本発明に係る吸光分析装置は、ガスを透過した光の強度を検出する検出器と、前記ガスの全圧を測定する全圧センサとを備える吸光分析システムに用いられるものであって、前記ガス中に測定対象ガスと共に含まれる干渉ガスの分圧と吸光度との関係を示す干渉ガス分圧−吸光度関係データを記憶する干渉ガス分圧−吸光度関係記憶部と、前記全圧センサで測定された全圧に基づき、前記干渉ガスの分圧を推定する干渉ガス分圧推定部と、前記干渉ガス分圧推定部で推定された干渉ガス推定分圧を、前記干渉ガス分圧−吸光度関係データに基づき前記干渉ガスの吸光度に変換する干渉ガス吸光度変換部と、前記検出器の出力値と前記干渉ガス吸光度変換部で変換された干渉ガス吸光度とに基づき、前記測定対象ガスの吸光度を算出する測定対象ガス吸光度算出部とを備えることを特徴とするものである。
【００１９】
また、本発明に係る吸光度測定方法は、ガスを透過した光の強度を検出する検出器と、前記ガスの全圧を測定する全圧センサとを備える吸光分光システムを用いて前記ガス中に含まれる測定対象ガスの吸光度測定方法であって、前記ガス中に測定対象ガスと共に含まれる干渉ガスの分圧と吸光度との関係を示す干渉ガス分圧−吸光度関係データを記憶する第１ステップと、前記全圧センサで測定された全圧と、予測される前記干渉ガスの濃度とに基づき、前記干渉ガスの分圧を推定する第２ステップと、前記第２ステップで推定された干渉ガス推定分圧を前記干渉ガス分圧−吸光度関係データに基づき前記干渉ガスの吸光度に変換する第３ステップと、前記第３ステップで変換された干渉ガス吸光度と前記検出器の出力値とに基づき、前記測定対象ガスの吸光度を算出する第４ステップとを備えることを特徴とするものである。
【発明の効果】
【００２０】
このように構成した吸光分析システムによれば、複数の測定波長の光の強度を検出する検出器を用いなくても、干渉ガスを含むガスを透過した光の強度から測定対象ガスの濃度を精度良く測定できる。
【図面の簡単な説明】
【００２１】
【図１】実施形態に係る吸光分析システムの全体構造を示す模式図である。
【図２】実施形態に係る吸光分析システムの検出器の構造を示す模式図である。
【図３】実施形態に係る吸光分析システムの検出器の変形例の構造を示す模式図である。
【図４】実施形態に係る吸光分析装置の機能を示すブロック図である。
【図５】実施形態に係る吸光分析装置に用いられる干渉ガス分圧−吸光度関係データの例を模式的に示すグラフである。
【図６】実施形態に係る吸光分析装置の動作を示すフローチャートである。
【図７】その他の実施形態に係る吸光分析装置の機能を示すブロック図である。
【図８】その他の実施形態に係る吸光分析装置の動作を示すフローチャートである。
【発明を実施するための形態】
【００２２】
以下に、本発明に係る吸光分析システムを図面に基づいて説明する。
【００２３】
本発明に係る吸光分析システムは、例えば半導体製造ライン等に組み込まれて供給先に供給されるガスに干渉ガスと共に含まれる測定対象ガスの濃度を測定するためのものである。
【００２４】
本実施形態に係る吸光分析システム１００は、図１に示すように、チャンバＣＨ（供給先）にガスを供給するための流路Ｌと、流路Ｌに設置される全圧センサ１０と、流路Ｌの全圧センサ１０よりも下流側に設置される検出器２０と、吸光分析装置Ｃと、を備えている。
【００２５】
前記全圧センサ１０は、流路Ｌを流れるガスの全圧を測定するものである。
【００２６】
前記検出器２０は、流路Ｌを流れるガスを透過する光の強度を検出するものである。検出器２０は、具体的には、図２に示すように、流路Ｌを流れるガスに光を照射する光源２１と、光源２１から射出された光の波長のうちで測定対象ガスが吸収する波長（以下、測定波長ともいう）の光を透過するフィルタ２２と、フィルタ２２を透過した測定波長の光の強度を検出する受光部２３と、を備えている。なお、検出器２０は、流路Ｌにおける光源２１から射出された光が透過する領域を測定領域Ｚとした場合、測定領域Ｚの一方側に光源２１が配置され、測定領域Ｚの他方側にフィルタ２２及び受光部２３が配置されている。また、光源２１と流路Ｌとの間、及び、フィルタ２２と流路Ｌとの間には、それぞれ窓部材２４が設けられている。これにより、光源２１、フィルタ２２及び受光部２３が、流路Ｌを流れるガスと直接接触しないようになっている。そして、検出器２０は、測定領域Ｚに存在するガスを透過した光の強度を示す受光部２３の出力信号を出力値として出力する。
【００２７】
なお、前記検出器２０は、図３に示すように、測定領域Ｚの他方側にフィルタ２２及び受光部２３に加えて、材料ガスが吸収しない波長の光を透過するリファレンス用フィルタ２２ｒと、リファレンス用フィルタ２２ｒを透過した波長の光の強度を検出するリファレンス用受光部２３ｒと、を備えるものであってもよい。この場合、検出器２０の出力値として、受光部２３の出力信号とリファレンス用受光部２３ｒの出力信号との比を用いることもできる。
【００２８】
前記吸光分析装置Ｃは、測定対象ガスの濃度等を算出するものであり、全圧センサ１０と検出器２０とに少なくとも接続されている。具体的には、ＣＰＵ、メモリ、ＡＤコンバータ、ＤＡコンバータ、入力手段等を有したコンピュータであり、前記メモリに格納されたプログラムをＣＰＵによって実行することによって、図４に示すように、干渉ガス分圧−吸光度関係記憶部Ｃ１、干渉ガス分圧推定部Ｃ２、干渉ガス吸光度変換部Ｃ３、測定対象ガス吸光度算出部Ｃ４、測定対象ガス分圧−吸光度関係記憶部Ｃ５、測定対象ガス分圧変換部Ｃ６、測定対象ガス濃度算出部Ｃ７等としての機能を発揮するように構成されている。
【００２９】
前記干渉ガス分圧−吸光度関係記憶部Ｃ１は、干渉ガスの分圧と吸光度との関係を示す干渉ガス分圧−吸光度関係データを記憶するものである。例えば、干渉ガス分圧−吸光度関係記憶部Ｃ１は、吸光分析システム１００の出荷前や出荷後の測定前等に、流路Ｌに既知の濃度の干渉ガスを流し、この時、検出器２０の測定領域Ｚに存在する干渉ガスの分圧と吸光度との関係を示すデータを予め取得し、当該データを干渉ガス分圧−吸光度関係データとして記憶するものである。なお、干渉ガスの分圧は、全圧センサ１０で測定される全圧と干渉ガスの既知の濃度とに基づいて算出すればよい。また、干渉ガスの吸光度は、検出器２０で検出される出力値に基づき算出すればよい。因みに、干渉ガス分圧−吸光度関係データは、例えば、図５に示すように、干渉ガス分圧と吸光度とを縦軸・横軸とし、干渉ガス分圧と吸光度との関係を示すグラフとして取得される。なお、干渉ガス分圧−吸光度関係データは、吸光分析システム１００の出荷前に検出器２０の校正に用いる校正ガスとして干渉ガスを使用した場合には、当該校正に用いた検量線データと一致する。なお、干渉ガス分圧−吸光度関係記憶部Ｃ１には、入力部を介して干渉ガス分圧−吸光度関係データを入力できるようになっている。
【００３０】
前記干渉ガス分圧推定部Ｃ２は、流路Ｌにガスを流した場合に、全圧センサ１０で測定された全圧から干渉ガスの分圧を推定するものである。例えば、ガス中に含まれる測定対象ガスの濃度が低い場合には、干渉ガス分圧推定部Ｃ２は、全圧センサ１０で検出される全圧を、干渉ガスの分圧と推定する。因みに、ガス中に含まれる測定対象ガスの濃度が低い場合とは、例えば、ガス中に測定対象ガスが数％含まれるような場合を示している。この場合、推定された干渉ガス分圧は、測定対象ガスの分圧による誤差を含む。また、ガス中に含まれる測定対象ガスの濃度が低いとはいえない場合には、干渉ガス分圧推定部Ｃ２は、予測される干渉ガスの濃度と前記全圧とから干渉ガスの分圧を推定する。
【００３１】
前記干渉ガス吸光度変換部Ｃ３は、前記干渉ガス分圧推定部Ｃ２で推定された干渉ガス推定分圧を、干渉ガス分圧−吸光度関係データに基づき干渉ガスの吸光度に変換するものである。
【００３２】
前記測定対象ガス吸光度算出部Ｃ４は、流路Ｌにガスを流した場合に、検出器２０の出力値と干渉ガス吸光度変換部Ｃ３で変換された干渉ガス吸光度とに基づき、測定対象ガスの吸光度を算出するものである。具体的には、測定対象ガス吸光度算出部Ｃ４は、検出器２０の出力値から算出される吸光度から干渉ガス吸光度を差し引いた値を、測定対象ガス吸光度とする。
【００３３】
前記測定対象ガス分圧−吸光度関係記憶部Ｃ５は、測定対象ガスの分圧と吸光度との関係を示す測定対象ガス分圧−吸光度関係データを記憶するものである。例えば、測定対象ガス分圧−吸光度関係記憶部Ｃ５は、吸光分析システム１００の出荷前や出荷後の測定前等に、流路Ｌに既知の濃度の測定対象ガスを流し、この時、検出器２０の測定領域Ｚに存在する測定対象ガスの分圧と吸光度との関係を示すデータを予め取得し、当該データを測定対象ガス分圧−吸光度関係データとして記憶するものである。なお、測定対象ガスの分圧は、全圧センサ１０で測定される全圧と測定対象ガスの既知の濃度とに基づいて算出すればよい。また、測定対象ガスの吸光度は、検出器２０で検出される出力値に基づき算出すればよい。なお、測定対象ガス分圧−吸光度関係記憶部Ｃ５には、入力部を介して測定対象ガス分圧−吸光度関係データを入力できるようになっている。
【００３４】
前記測定対象ガス分圧変換部Ｃ６は、測定対象ガス吸光度算出部Ｃ４で算出された測定対象ガス吸光度を測定対象ガスの分圧に変換するものである。具体的には、測定対象ガス分圧変換部Ｃ６は、測定対象ガス吸光度を測定対象ガス分圧−吸光度関係データに基づき測定対象ガスの分圧に変換する。
【００３５】
前記測定対象ガス濃度算出部Ｃ７は、全圧センサ１０で測定された全圧１０と、測定対象ガス分圧変換部Ｃ６で変換された測定対象ガス分圧と、に基づき測定対象ガスの濃度を算出し、表示部に表示するものである。
【００３６】
次に、本実施形態に係る吸光分析装置Ｃの動作を説明する。
【００３７】
先ず、流路Ｌにガスを流した状態で、吸光分析装置Ｃに測定開始信号が入力されると、干渉ガス分圧推定部Ｃ２が、全圧センサ１０で測定される全圧を示す全圧信号を受付ける（ステップＳ１）。そして、干渉ガス分圧推定部Ｃ２は、受け付けた全圧信号が示す圧力に基づいて前記ガスに含まれる干渉ガスの分圧を推定する（ステップＳ２）。なお、ステップＳ２において、前記ガスに含まれる干渉ガスの濃度が低い場合には、受け付けた全圧信号が示す圧力を前記ガスに含まれる干渉ガスの分圧と推定してもよい。
【００３８】
次に、干渉ガス吸光度変換部Ｃ３が、干渉ガス分圧推定部Ｃ２で推定された干渉ガス推定分圧を、干渉ガス分圧−吸光度関係データを参照して干渉ガスの吸光度に変換する（ステップＳ３）。
【００３９】
次に、測定対象ガス吸光度算出部Ｃ４が、検出器２０の出力値から算出される吸光度を示すガス吸光度信号を受付ける（ステップＳ４）。そして、測定対象ガス吸光度算出部Ｃ４は、ガス吸光度信号が示すガス吸光度と干渉ガス吸光度変換部Ｃ３で変換された干渉ガス吸光度との差を、測定対象ガスの吸光度とみなす（ステップＳ５）。
【００４０】
次に、測定対象ガス分圧変換部Ｃ６が、測定対象ガス吸光度算出部Ｃ４で算出された測定対象ガス吸光度を、測定対象ガス分圧−吸光度関係データを参照して測定対象ガス分圧へ変換する（ステップＳ６）。
【００４１】
そして、測定対象ガス濃度算出部Ｃ７は、全圧センサ１０で測定された全圧と測定対象ガス分圧変換部Ｃ６で変換された測定対象ガス分圧とに基づき、測定対象ガス濃度を算出する（ステップＳ７）。なお、測定対象ガス濃度算出部Ｃ７は、算出した測定対象ガス濃度を表示部に表示する（ステップＳ８）。
【００４２】
＜その他の実施形態＞  前記実施形態における吸光分析装置Ｃの変形例として、干渉ガス分圧−吸光度関係記憶部Ｃ１、干渉ガス分圧推定部Ｃ２、干渉ガス吸光度変換部Ｃ３、測定対象ガス吸光度算出部Ｃ４、測定対象ガス分圧−吸光度関係記憶部Ｃ５、測定対象ガス分圧変換部Ｃ６、測定対象ガス濃度算出部Ｃ７としての機能に加えて、干渉ガス分圧算出部Ｃ８、第２の干渉ガス吸光度変換部Ｃ９、変換回数カウント部Ｃ１０、カウント回数判定部Ｃ１１としての機能を更に発揮するものが挙げられる。
【００４３】
前記干渉ガス分圧算出部Ｃ８は、全圧センサ１０で測定された全圧と測定対象ガス分圧変換部Ｃ６で変換された測定対象ガス分圧とに基づき、干渉ガス分圧を算出するものである。具体的には、干渉ガス分圧算出部Ｃ８は、全圧と測定対象ガス分圧との差を、干渉ガス分圧とする。
【００４４】
前記第２の干渉ガス吸光度変換部Ｃ９は、干渉ガス分圧算出部Ｃ８で算出された干渉ガス分圧を干渉ガス分圧−吸光度関係データを参照して干渉ガスの新たな吸光度に変換するものである。
【００４５】
前記変換回数カウント部Ｃ１０は、干渉ガス吸光度変換部Ｃ３及び第２の干渉ガス吸光度変換部Ｃ９における干渉ガス吸光度へ変換した回数をカウントするものである。
【００４６】
前記カウント回数判定部Ｃ１１は、変換回数カウント部Ｃ１０のカウント回数が設定回数に達したか否かを判定するものである。具体的には、カウント回数判定部Ｃ１１は、カウント回数が２回以上の予め設定された設定回数に達したか否かを判定する。
【００４７】
次に、前記その他の実施形態に係る吸光分析装置Ｃの動作を説明する。
【００４８】
本実施形態においては、前記実施形態の吸光分析装置Ｃの動作におけるステップＳ３とステップＳ４との間で、干渉ガス吸光度へ変換した回数をカウントする（ステップＳ９）。また、本実施形態においては、前記実施形態の吸光分析装置Ｃの動作におけるステップＳ６とステップＳ７との間で、干渉ガス吸光度へ変換した回数（カウント回数）が設定回数に達したか否かを判定する（ステップＳ１０）。
【００４９】
そして、干渉ガス吸光度へ変換した回数が設定回数に達したと判断した場合には、ステップＳ７、ステップＳ８へと進み測定対象ガス濃度を表示部に表示する。
【００５０】
一方、干渉ガス吸光度へ変換した回数が設定回数に達していないと判断した場合には、干渉ガス分圧算出部Ｃ８が、全圧センサ１０で測定された全圧と測定対象ガス分圧変換部Ｃ６で取得した測定対象ガス分圧に基づき、干渉ガス分圧を算出する（ステップＳ１１）。そして、第２の干渉ガス吸光度変換部Ｃ９が、干渉ガス分圧算出部Ｃ８で算出された干渉ガス分圧を干渉ガス分圧−吸光度関係データを参照して干渉ガスの新たな吸光度に変換する（ステップＳ１２）。この後、ステップＳ４〜ステップＳ６を介して第２の干渉ガス吸光度変換部Ｃ８で変換された新たな干渉ガス吸光度に基づき測定対象ガス分圧が導出される。なお、ステップＳ９、ステップＳ４〜Ｓ６、ステップＳ１０〜Ｓ１２は、変換回数カウント部Ｃ１０のカウント回数が設定回数に達するまでループして繰り返される。
【００５１】
なお、前記その他の実施形態では、ループ回数をカウントし、カウント数が設定回数に達した場合にループを終了するように構成しているが、例えば、前ループ（例えば、一回前のループ）で算出された測定対象ガス分圧と現ループで算出された測定対象ガス分圧との差が所定値よりも小さくなっているか否かを判定し、所定値以下である場合にループを終了するように構成してもよい。
【００５２】
このようなものであれば、第２の干渉ガス吸光度変換部Ｃ９における変換回数が増えるに従って、測定対象ガス分圧に含まれる誤差、具体的には、干渉ガス分圧推定部Ｃ２において全圧センサ１０で測定された全圧に基づいて干渉ガス分圧を推定したことにより、当該推定された干渉ガス分圧中に含まれる測定対象ガスの誤差の割合少なくなる。その結果、測定対象ガス濃度の測定精度が向上する。
【００５３】
また、前記実施形態においては、流路Ｌの検出器２０よりも上流側に全圧センサ１０を設置したが、この場合には、検出器２０の測定領域Ｚと全圧センサ１０の測定点との間に生じる圧損により、全圧センサ１０において当該圧損の影響を受けた全圧しか測定できない。そこで、例えば、図２にて点線で示すように、全圧センサ１０を、当該全圧センサ１０の測定点が検出器２０の測定領域Ｚと一致するように設置することが好ましい。具体的には、全圧センサ１０を、当該全圧センサ１０の測定点が検出器２０の光源２１から射出される光の光軸（図２中、一点鎖線にて示す）上に位置するように設置することが好ましい。
【００５４】
なお、前記実施形態においては、測定対象ガス分圧−吸光度関係記憶部Ｃ５において、測定対象ガス分圧−吸光度関係データを取得する場合に、検出器２０へ既知の濃度の測定対象ガスを流す方法を例示したが、これに限定されない。例えば、分圧と吸光度との関係が測定対象ガスと既知の相関関係にある代替ガスを検出器２０へ流し、この時、検出器２０の測定領域Ｚに存在する代替ガスの分圧と吸光度との関係を示すデータを予め取得する。その後、当該データと前記既知の相関関係とに基づき測定対象ガス分圧−吸光度関係データを取得してもよい。干渉ガス分圧−吸光度関係記憶部Ｃ３についても同様のことが言える。
【００５５】
その他、本発明は前記各実施形態に限られず、その趣旨を逸脱しない範囲で種々の変形が可能であるのは言うまでもない。
【符号の説明】
【００５６】
１００  吸光分析システム
Ｌ  流路
１０  全圧センサ
２０  検出器
Ｃ  吸光分析装置
Ｃ１  干渉ガス分圧−吸光度関係記憶部
Ｃ２  干渉ガス分圧推定部
Ｃ３  干渉ガス吸光度変換部
Ｃ４  測定対象ガス吸光度算出部
Ｃ５  測定対象ガス分圧−吸光度関係記憶部
Ｃ６  測定対象ガス分圧変換部
Ｃ７  測定対象ガス濃度算出部
Ｃ８  干渉ガス分圧算出部
Ｃ９  第２の干渉ガス吸光度変換部
Ｃ１０  変換回数カウント部
Ｃ１１  カウント回数判定部
【図１】
2020183925.tif 000003
【図２】
2020183925.tif 000004
【図３】
2020183925.tif 000005
【図４】
2020183925.tif 000006
【図５】
2020183925.tif 000007
【図６】
2020183925.tif 000008
【図７】
2020183925.tif 000009
【図８】
2020183925.tif 000010